(57)【要約】【課題】  見た目にも優れ、液体補充時期を容易に知ることができるとともに、液量が減った場合にも、揮発拡散やストローでの吸い上げが容易である液体収容用容器を提供する。【解決手段】  液体収容用容器１は、主に、容器本体３と、充填部材５等から構成される。容器本体３の内部には、充填部材５が設けられる。充填部材５は、天然石のさざれチップである。さざれチップとは、彫刻等を削った際に生じるチップである。このため、充填部材５は、表面が滑らかな形状であって、互いに異なる形状である。なお、天然石としては、例えば、水晶、アメジスト、シトリン、アクアマリン、ローズクォーツなどを選択可能である。【選択図】図１
0003209213.tif 000002
【実用新案登録請求の範囲】
【請求項１】
容器本体と、
前記容器本体の内部に設けられる複数の充填部材と、
を具備し、
前記充填部材は、表面が滑らかな形状であって、互いに異なる形状であり、
前記容器本体は透明であり、内部の前記充填部材の形状が視認可能であることを特徴とする液体収容用容器。
【請求項２】
前記充填部材は、天然石のさざれチップであり、前記容器本体の高さ方向の中央よりも下方の所定高さまで設けられることを特徴とする請求項１記載の液体収容用容器。
【考案の詳細な説明】
【技術分野】
【０００１】
本考案は、内部にフレグランスなどの液体を収容することが可能な液体収容用容器に関するものである。
【背景技術】
【０００２】
従来から、室内に香りを拡散させるためのフレグランス容器が提案されている（例えば特許文献１）。
【先行技術文献】
【特許文献】
【０００３】
【特許文献１】特開２００４−７３７３３号公報
【考案の概要】
【考案が解決しようとする課題】
【０００４】
フレグランス容器において、内容量が少なくなったことを気づくのが遅れると、十分な液体の揮発拡散効果を得ることができなくなる。しかし、従来のフレグランス容器には、液体の補充サインなどがないため、液体の補充タイミングを知ることが困難であった。
【０００５】
また、液体の残量が減り、水位が下がると、例えば拡散のためのスティックと液体との接触面積が少なくなるため、徐々に揮発拡散量が減少する。また、スプレーなどに用いた場合には、ストロの先端が液面上に露出して、液体を吸い上げることが困難になる場合がある。
【０００６】
一方、このようなフレグランス容器は、それ自体が装飾性を有する一種の置物のようなデザイン性が要求される場合があり、機能性のみではなく、デザイン性も重要である。
【０００７】
本考案は、このような問題に鑑みてなされたもので、見た目にも優れ、液体補充時期を容易に知ることができるとともに、液量が減った場合にも、揮発拡散やストローでの吸い上げが容易である液体収容用容器を提供することを目的とする。
【課題を解決するための手段】
【０００８】
前述した目的を達成するため、本考案は、容器本体と、前記容器本体の内部に設けられる複数の充填部材と、を具備し、前記充填部材は、表面が滑らかな形状であって、互いに異なる形状であり、前記容器本体は透明であり、内部の前記充填部材の形状が視認可能であることを特徴とする液体収容用容器である。
【０００９】
前記充填部材は、天然石のさざれチップであり、前記容器本体の高さ方向の中央よりも下方の所定高さまで設けられることが望ましい。
【００１０】
本考案によれば、内部の充填部材を透明な容器本体を通して視認することができるため、単に液体のみが充填されている場合と比較して、液体中に浸漬された充填部材が、見た目にも良く、インテリアとして利用することができる。
【００１１】
また、この際、充填部材が液面に露出する時期を液体の補充タイミングとして把握することができる。また、充填部材によって、液体の残量が少なくなった際に、液面を嵩上げすることができるため、液量が減った状態でも、液体を効率よく利用することができる。
【００１２】
特に、充填部材は、天然石のさざれチップであれば、各充填部材の形状が不揃いであり、自然なイメージによって高い意匠性を得ることができる。また、容器本体の高さ方向の中央よりも下方の所定高さまで設けられることで、充填部材によって、液体の容量が過剰に少なくなることを抑制することができる。
【考案の効果】
【００１３】
本考案によれば、見た目にも優れ、液体補充時期を容易に知ることができるとともに、液量が減った場合にも、揮発拡散やストローでの吸い上げが容易である液体収容用容器を提供することができる。
【図面の簡単な説明】
【００１４】
【図１】液体収容用容器１の斜視図。
【図２】液体収容用容器１ａの斜視図。
【考案を実施するための形態】
【００１５】
以下、図面を参照しながら、本考案の実施形態について説明する。図１は、液体収容用容器１の使用状態を示す斜視図である。液体収容用容器１は、主に、容器本体３と、充填部材５等から構成される。なお、容器本体３の形状は図示した例には限られない。
【００１６】
容器本体３の内部には、充填部材５が設けられる。充填部材５は、天然石のさざれチップである。さざれチップとは、彫刻等を削った際に生じるチップである。充填部材５は、表面が滑らかな形状であって、互いに異なる形状である。なお、天然石としては、例えば、水晶、アメジスト、シトリン、アクアマリン、ローズクォーツなどを選択可能である。
【００１７】
容器本体３の上部には、穴９が設けられる。穴９には、例えば木製のスティック１１が挿入される。容器本体３の内部にフレグランスの液体７を入れ、スティック１１を挿入することで、毛細管現象によって液体７が吸い上げられて、液体７を揮発拡散させることができる。
【００１８】
ここで、充填部材５のサイズとしては、例えば、５ｍｍ〜２０ｍｍ程度（５ｍｍ〜２０ｍｍメッシュのふるいでふるい分けられるサイズ）である。充填部材５のサイズが小さすぎると、充填部材５同士の隙間が小さくなる。このため、スティック１１等を挿入しにくくなる。また、充填部材５のサイズが大きすぎると、隙間の位置が減ってしまい、かえってスティック１１を挿入しにくくなる。このため、充填部材５のサイズは、５ｍｍ〜２０ｍｍ程度が望ましい。なお、充填部材５のサイズが穴９よりも大きければ、容器本体３の上部に穴９を有するキャップを閉じることで、充填部材５が穴９から出てしまうことがない。
【００１９】
また、充填部材５は、表面が滑らかであるため、スティック１１を容易に充填部材５の隙間に挿入することができる。特に、充填部材５の形状が異なるため、スティック１１を挿入する隙間が形成されやすい。
【００２０】
なお、容器本体３は透明であるため、内部の液体７および充填部材５を視認可能である。したがって、液体７に沈んでおり、互いに異なる形状の充填部材５がそれぞれ光輝くため、見た目にも優れ、インテリアとして利用可能である。
【００２１】
ここで、液体７が揮発すると、液体が徐々に減るため、水位が下がる。この際、充填部材５が液面に露出することで、液体７の補充タイミングを知ることができる。
【００２２】
また、液面が下がると、スティック１１と液体７との接触面積が小さくなり、液体７をスティック１１で吸い上げる量が少なくなる。しかし、充填部材５によって、液面が嵩上げされるため、液体７の量が少なくなっても、スティック１１と液体７との接触面積を増加させることができる。
【００２３】
このような効果を得るためには、充填部材５は、容器本体３の高さ方向の中央よりも下方の所定高さまで設けられることが望ましい。例えば、積み上げられた充填部材５の最上部の位置が、容器本体３の下端から、容器本体３の高さの１／４程度〜１／２程度の間に位置することが望ましい。充填部材５の量が多すぎると、液体７の内容量が少なくなりすぎる。また、充填部材５の量が少なすぎると、上述した効果が小さくなる。
【００２４】
以上、本実施形態によれば、容器本体３の内部に充填部材５が所定量充填されるため、見た目に優れ、インテリアとして利用することができる。特に、充填部材５が天然石のさざれチップであるため、形状がすべて異なり、充填部材５を不規則に配置することができるため、意匠性が高い。
【００２５】
また、充填部材５の表面が滑らかであるため、見た目もよく、スティック１１の挿入性も良好である。また、充填部材５の配置が不規則であるため、充填部材５同士の隙間が形成されやすく、スティック１１の挿入が容易であるとともに、スティック１１が充填部材５によって押さえられるため、スティック１１が倒れることを抑制することができる。
【００２６】
また、充填部材５が液面に露出することで、内部の液体７の補充タイミングを容易に知ることができる。
【００２７】
また、液体７の残量が少なくなった際にも、充填部材５によって液面を高くすることができるため、液体７とスティック１１との接触面積を確保することができる。
【００２８】
次に、第２の実施形態について説明する。図２は、液体収容用容器１ａを示す図である。なお、以下の説明において、液体収容用容器１と同一の機能を奏する構成については、図１と同一の符号を付し、重複する説明を省略する。
【００２９】
液体収容用容器１ａは、液体収容用容器１とほぼ同様の構成であるが、スプレー噴射部１７が設けられる点で異なる。すなわち、液体収容用容器１ａは、スプレー付の容器である。スプレー噴射部１７を上方から押圧することで、内部の液体７を噴射することができる。
【００３０】
液体収容用容器１ａでは、蓋１５が用いられ、蓋１５を閉じることによってスプレー噴射部１７が覆われて、誤動作を防止することができる。
【００３１】
容器本体３の内部には、液体７を吸い上げるためのストロー１３が設けられる。スプレー噴射部１７を取り外すことで、内部の液体７を補充することができる。この後、前述のスティック１１と同様にストロー１３を充填部材５に挿入し、スプレー噴射部１７を再度取り付けることができる。
【００３２】
第２の実施形態によれば、第１の実施形態と同様の効果を得ることができる。また、充填部材５の表面が滑らかであり、形状が不規則であるため、ストロー１３を容易に挿入することができる。
【００３３】
また、液体７の残量が少なくなっても、充填部材５によって液面を高くすることができるため、ストロー１３の先端が液面から出てしまうことを抑制することができる。このため、容器本体３を多少傾けても、スプレーを行うことができる。
【００３４】
以上、添付図を参照しながら、本考案の実施の形態を説明したが、本考案の技術的範囲は、前述した実施の形態に左右されない。当業者であれば、実用新案登録請求の範囲に記載された技術的思想の範疇内において各種の変更例または修正例に想到し得ることは明らかであり、それらについても当然に本考案の技術的範囲に属するものと了解される。
【符号の説明】
【００３５】
１、１ａ………液体収容用容器
３………容器本体
５………充填部材
７………液体
９………穴
１１………スティック
１３………ストロー
１５………蓋
１７………スプレー噴射部
【図１】
0003209213.tif 000003
【図２】
0003209213.tif 000004